(57)【要約】【課題】            食べ物を確実につかめるようにした形状のつまみ部をもつ箸であり、繰り返しの使用や洗浄による摩擦で箸が摩耗劣化する弊害を防止でき、しかも、箸のつまみ部に食べ物滓が付着しにくい、箸洗いの容易なプラスチック製の箸を提供する。【解決手段】        プラスチック製の箸の食べ物つまみ部２の長手方向の範囲に複数の角部残存多角形部分６と倍角多角形部分９を交互に形成し、この倍角多角形部分９を角部切除面部７と該角部切除面部７間の周方向に残存する残存面部８によって前記角部残存多角形部分６の多角形に比べて倍の角数及び倍の面部数の多角形に形成し、前記角部残存多角形部分６の各角部を長手方向に隣り合う前記倍角多角形部分９の前記角部切除面部７より半径方向の外方向に突出する突起部５として形成し、この突起部５の突起頂部から長手方向に隣り合う前記角部切除面部７に至る面を緩やかな傾斜面１０とした。【選択図】          図１
2011245239.tif 000002
【特許請求の範囲】
【請求項１】
長手方向の先端部側の所定の長さ範囲を食べ物つまみ部、長手方向の基端部側を持ち手部とし、前記持ち手部側から前記食べ物つまみ部の先端側に行くに従い先細り形状とした棒状の箸であり、少なくとも前記食べ物つまみ部を断面多角形とした形状の箸において、前記食べ物つまみ部の長手方向の範囲に、前記断面多角形の各角部を該各角部の頂部が突起頂部と成る突起部とするために同一の周方向において切除せずに長手方向の複数位置に残存形成した複数の角部残存多角形部分と、前記断面多角形の各角部を長手方向に延びる平面状の角部切除面部にそれぞれ切除し、この角部切除面部と該角部切除面部の間の周方向に残存する残存面部によって前記角部残存多角形部分の断面多角形に対して倍の角数及び倍の面部数の断面多角形に形成した複数の倍角多角形部分を長手方向に交互に形成し、前記角部残存多角形部分の各角部を該各角部の頂部が長手方向に隣り合う前記倍角多角形部分の前記角部切除面部の形成位置を基準面として該角部切除面部より半径方向の外方向に突出する突起頂部と成る突起部として形成し、この突起部の突起頂部から長手方向に隣り合う前記倍角多角形部分の前記角部切除面部に至る面を緩やかな傾斜面としたプラスチック製の箸。
【請求項２】
長手方向の先端部側の所定の長さ範囲を食べ物つまみ部、長手方向の基端部側を持ち手部とし、前記持ち手部側から前記食べ物つまみ部の先端側に行くに従い先細り形状とした断面多角形の棒状の箸において、前記食べ物つまみ部の範囲内に所定の間隔をおいた長手方向の複数位置に前記断面多角形の各角部を該各角部の頂部が突起頂部と成る突起部とするために同一の周方向において切除せずに残存形成した複数の角部残存多角形部分を形成し、この角部残存多角形部分の形成位置を除いた箸の長手方向の範囲における前記断面多角形の各角部を長手方向に延びる略均等な横幅の平面状の角部切除面部にそれぞれ切除し、この角部切除面部と該角部切除面部の間の周方向に残存する残存面部によって前記角部残存多角形部分の断面多角形より倍の角数及び倍の面部数の断面多角形とした倍角多角形部分を前記角部残存多角形部分の形成位置を除いた箸の長手方向の範囲に形成し、よって前記食べ物つまみ部の長手方向の範囲にそれぞれ複数の前記角部残存多角形部分と前記倍角多角形部分を長手方向に交互に形成し、前記倍角多角形部分の断面形状は、箸の基端部側では、周方向における前記角部切除面部の各横幅に対して該角部切除面部間の周方向に残存する切除されずに残された前記残存面部の各横幅をそれぞれ長くした多角形に形成され、箸の基端部側から箸の先端部側に行くに従い前記角部切除面部の各横幅に対する前記残存面部の各横幅の割合を略均等な横幅に近づくようにした先細り形状の多角形に形成され、前記角部残存多角形部分は、食べ物つまみ部の基端部側から先端部側に行くに従いその断面形状を段階的に縮小した先細り形状の多角形に形成され、段階的に縮小された前記角部残存多角形部分の各角部を該各角部の頂部が長手方向に隣り合う前記食べ物つまみ部における前記倍角多角形部分の前記角部切除面部の形成位置を基準面として該角部切除面部より半径方向の外方向に突出する突起頂部と成る突起部として形成し、この突起部の突起頂部から長手方向に隣り合う前記食べ物つまみ部における前記倍角多角形部分の前記角部切除面部に至る面を緩やかな傾斜面としたプラスチック製の箸。
【請求項３】
長手方向の先端部側の所定の長さ範囲を食べ物つまみ部、長手方向の基端部側を持ち手部とし、前記持ち手部側から前記食べ物つまみ部の先端側に行くに従い先細り形状とした断面多角形の棒状の箸において、前記食べ物つまみ部の長手方向の範囲に、前記断面多角形の各角部を該各角部の頂部が突起頂部と成る突起部とするために同一の周方向において切除せずに長手方向の複数位置に残存形成した複数の角部残存多角形部分と、前記断面多角形の各角部を長手方向に延びる平面状の角部切除面部にそれぞれ切除し、この角部切除面部と該角部切除面部の間の周方向に残存する残存面部によって前記角部残存多角形部分の断面多角形に対して倍の角数及び倍の面部数の断面多角形に形成した複数の倍角多角形部分を長手方向に交互に形成し、この倍角多角形部分の断面形状を前記持ち手部の断面多角形に対して倍の角数及び倍の面部数の断面多角形に形成し、前記角部残存多角形部分の各角部を該各角部の頂部が長手方向に隣り合う前記倍角多角形部分の前記角部切除面部の形成位置を基準面として該角部切除面部より半径方向の外方向に突出する突起頂部と成る突起部として形成し、この突起部の突起頂部から長手方向に隣り合う前記倍角多角形部分の前記角部切除面部に至る面を緩やかな傾斜面としたプラスチック製の箸。
【請求項４】
前記食べ物つまみ部の先端側には前記倍角多角形部分を形成し、この食べ物つまみ部の先端側に形成された前記倍角多角形部分の断面形状を、前記角部切除面部と該角部切除面部の間の周方向に残存する前記残存面部がそれぞれ略等辺の関係にあり且つ各角部の大きさが略均等な関係に成る等辺多角形に形成した、請求項１から３のいずれかに記載のプラスチック製の箸。
【発明の詳細な説明】
【技術分野】
【０００１】
本発明は、主として外食店で用いられる、洗浄して繰り返し使用するプラスチック製の箸に関する。
【背景技術】
【０００２】
外食店で用いられる箸は、使い捨てられる木製の割り箸から洗浄して繰り返し使用するプラスチック製の箸に移行している。
【０００３】
表面が滑りやすいプラスチック製の箸は、食べ物をつまみ易くする為に、例えば特許文献１（実開平５-７２２７１号公報）の合成樹脂箸のように、箸の先端部（食べ物つまみ部）の表面に梨地などの微細な凹凸を施した滑り止め防止を行っているものが多い。しかし、梨地などの微細な凹凸を施して滑り止め防止したプラスチック製の箸は、繰り返しの使用や洗浄による摩擦や熱などで素材が劣化しやすく、白っぽく変色しやすい弊害があった。また、細かい傷が付きやすい弊害もあった。白っぽく変色してしまったり、細かな傷が付いても箸の基本的な機能には影響は無いが、箸は清潔感や見栄えも大事な要素であるため、ある程度色褪せたり傷が付いて見栄えが悪くなると新しい箸に交換することになり、箸の寿命を短くしている。また、箸先端部のつまみ部の表面に梨地などの微細な凹凸を施して滑り止め防止したプラスチック製の箸は、微細な凹凸表面に食べ物滓が付着されやすく、この付着滓を洗い落とすのが難点であった。
【０００４】
また、表面が滑りやすいプラスチック製の箸は、食べ物をつまみ易くする為に、例えば特許文献２（実開平５-５３５７４号公報）の箸のように、箸の先端部（食べ物つまみ部）の表面に長手方向又は周方向に延びる溝状の凹凸を形成して滑り止めとしたものや、例えば特許文献３（実用新案登録第３１５３６４１号公報）の麺箸のように、箸の先端部（食べ物つまみ部）の表面に螺旋溝を形成して滑り止めとしたものがある。しかし、箸の先端部（食べ物摘み部）の表面に溝状の凹凸や螺旋溝を形成した箸は、凹凸溝内に食べ物滓が詰りやすく、箸の洗浄作業においても凹凸溝内に詰まった食べ物滓を確実に洗い落とすのが困難であった。
【先行技術文献】
【特許文献】
【０００５】
【特許文献１】実開平５-７２２７１号公報
【特許文献２】実開平５-５３５７４号公報
【特許文献３】実用新案登録第３１５３６４１号公報
【発明の概要】
【発明が解決しようとする課題】
【０００６】
このような実情に鑑み、本発明は、箸の先端部側のつまみ部の表面に滑り止めのための梨地などの微細な凹凸加工を施さなくても、食べ物を確実につかめるようにした形状のつまみ部をもつプラスチック製の箸を提供しようとするものであり、梨地などの微細な凹凸加工を施したことを主な原因として生じる、繰り返しの使用や洗浄による摩擦で箸が摩耗劣化する弊害を防止できるようにしたプラスチック製の箸を提供しようとするものである。しかも、箸のつまみ部に食べ物滓が付着しにくい、箸洗いの容易なプラスチック製の箸を提供しようとするものである。
【課題を解決するための手段】
【０００７】
このような課題を解決するため、本発明（請求項１の発明）は、長手方向の先端部側の所定の長さ範囲を食べ物つまみ部、長手方向の基端部側を持ち手部とし、前記持ち手部側から前記食べ物つまみ部の先端側に行くに従い先細り形状とした棒状の箸であり、少なくとも前記食べ物つまみ部を断面多角形（好ましくは等辺等角の四角形、五角形、又は六角形）とした形状の箸において、前記食べ物つまみ部の長手方向の範囲に、前記断面多角形（好ましくは等辺等角の四角形、五角形、又は六角形）の各角部を該各角部の頂部が突起頂部と成る突起部とするために同一の周方向において切除せずに長手方向の複数位置に残存形成した複数の角部残存多角形部分と、前記断面多角形（好ましくは等辺等角の四角形、五角形、又は六角形）の各角部を長手方向（角部の稜線方向）に延びる平面状の角部切除面部にそれぞれ切除し、この角部切除面部と該角部切除面部の間の周方向に残存する残存面部によって前記角部残存多角形部分の断面多角形に対して倍の角数及び倍の面部数の断面多角形に形成した複数の倍角多角形部分を長手方向に交互に形成し、前記角部残存多角形部分の各角部を該各角部の頂部が長手方向に隣り合う前記倍角多角形部分の前記角部切除面部の形成位置を基準面として該角部切除面部より半径方向の外方向に突出する突起頂部と成る突起部として形成し、この突起部の突起頂部から長手方向に隣り合う前記倍角多角形部分の前記角部切除面部に至る面を緩やかな傾斜面としたプラスチック製の箸を提供する。
【０００８】
また、上記した課題を解決するため、本発明（請求項２の発明）は、長手方向の先端部側の所定の長さ範囲を食べ物つまみ部、長手方向の基端部側を持ち手部とし、前記持ち手部側から前記食べ物つまみ部の先端側に行くに従い先細り形状とした断面多角形（好ましくは等辺等角の四角形、五角形、又は六角形）の棒状の箸において、前記食べ物つまみ部の範囲内に所定の間隔をおいた長手方向の複数位置に前記断面多角形（好ましくは等辺等角の四角形、五角形、又は六角形）の各角部を該各角部の頂部が突起頂部と成る突起部とするために同一の周方向において切除せずに残存形成した複数の角部残存多角形部分を形成し、この角部残存多角形部分の形成位置を除いた箸の長手方向の範囲における前記断面多角形（好ましくは等辺等角の四角形、五角形、又は六角形）の各角部を長手方向（角部の稜線方向）に延びる略均等な横幅の平面状の角部切除面部にそれぞれ切除し、この角部切除面部と該角部切除面部の間の周方向に残存する残存面部によって前記角部残存多角形部分の断面多角形より倍の角数及び倍の面部数の断面多角形とした倍角多角形部分を前記角部残存多角形部分の形成位置を除いた箸の長手方向の範囲に形成し、よって前記食べ物つまみ部の長手方向の範囲にそれぞれ複数の前記角部残存多角形部分と前記倍角多角形部分を長手方向に交互に形成し、前記倍角多角形部分の断面形状は、箸の基端部側では、周方向における前記角部切除面部の各横幅に対して該角部切除面部間の周方向に残存する切除されずに残された前記残存面部の各横幅をそれぞれ長くした多角形に形成され、箸の基端部側から箸の先端部側に行くに従い前記角部切除面部の各横幅に対する前記残存面部の各横幅の割合を略均等な横幅に近づくようにした先細り形状の多角形に形成され、前記角部残存多角形部分は、食べ物つまみ部の基端部側から先端部側に行くに従いその断面形状を段階的に縮小した先細り形状の多角形に形成され、段階的に縮小された前記角部残存多角形部分の各角部を該各角部の頂部が長手方向に隣り合う前記食べ物つまみ部における前記倍角多角形部分の前記角部切除面部の形成位置を基準面として該角部切除面部より半径方向の外方向に突出する突起頂部と成る突起部として形成し、この突起部の突起頂部から長手方向に隣り合う前記食べ物つまみ部における前記倍角多角形部分の前記角部切除面部に至る面を緩やかな傾斜面としたプラスチック製の箸を提供する。
【０００９】
また、上記した課題を解決するため、本発明（請求項３の発明）は、長手方向の先端部側の所定の長さ範囲を食べ物つまみ部、長手方向の基端部側を持ち手部とし、前記持ち手部側から前記食べ物つまみ部の先端側に行くに従い先細り形状とした断面多角形（好ましくは等辺等角の四角形、五角形、又は六角形）の棒状の箸において、前記食べ物つまみ部の長手方向の範囲に、前記断面多角形（好ましくは等辺等角の四角形、五角形、又は六角形）の各角部を該各角部の頂部が突起頂部と成る突起部とするために同一の周方向において切除せずに長手方向の複数位置に残存形成した複数の角部残存多角形部分と、前記断面多角形（好ましくは等辺等角の四角形、五角形、又は六角形）の各角部を長手方向（角部の稜線方向）に延びる平面状の角部切除面部にそれぞれ切除し、この角部切除面部と該角部切除面部の間の周方向に残存する残存面部によって前記角部残存多角形部分の断面多角形に対して倍の角数及び倍の面部数の断面多角形に形成した複数の倍角多角形部分を長手方向に交互に形成し、この倍角多角形部分の断面形状を前記持ち手部の断面多角形に対して倍の角数及び倍の面部数の断面多角形に形成し、前記角部残存多角形部分の各角部を該各角部の頂部が長手方向に隣り合う前記倍角多角形部分の前記角部切除面部の形成位置を基準面として該角部切除面部より半径方向の外方向に突出する突起頂部と成る突起部として形成し、この突起部の突起頂部から長手方向に隣り合う前記倍角多角形部分の前記角部切除面部に至る面を緩やかな傾斜面としたプラスチック製の箸を提供する。
【００１０】
本発明（請求項１、２、３の発明）は、食べ物つまみ部の長手方向の範囲にそれぞれ複数の前記角部残存多角形部分と前記倍角多角形部分を長手方向に交互に形成し、この倍角多角形部分を、角部切除面部と該角部切除面部の間の周方向に残存する残存面部によって前記角部残存多角形部分の断面多角形に比べて倍の角数及び倍の面部数の断面多角形に形成してある。
【００１１】
従来、二本の箸で食べ物をつかむ（挟む）場合、従来のプラスチック製の丸型箸（箸先端部側のつまみ部も断面円形とした箸）は、常に二本の箸の頂点で、食べ物をつかめるが、丸型形状は滑りやすく、プラスチック材の表面も滑らかで滑りやすいため、確実に食べ物をつかむことが難しく、つかみ力（挟み力）が弱いものであった。また、従来のプラスチック製の角型箸（箸先端部側のつまみ部も例えば断面四角形とした箸）では、二本の箸の面部分と面部分で食べ物をつまんだ時の安定度は高くなるが、常に二本の箸の面部分と面部分を合わせて挟むことは困難であり、二本の箸の面部分と角部分で食べ物をつかむ場合のつかみ力が弱いものであった。このため、従来のプラスチック製の丸型箸や角型箸では、背景技術の欄で述べたように、箸先端部のつまみ部の表面に梨地などの微細な凹凸加工を施した滑り止め加工をして、つかみ力を補強しているのが実情である。
【００１２】
本発明（請求項１、２、３の発明）のプラスチック製の箸は、前記食べ物つまみ部の前記倍角多角形部分を前記角部残存多角形部分の断面多角形に比べて倍の角数及び倍の面部数の断面多角形に形成したものである。したがって、本発明（請求項１、２、３の発明）の前記食べ物つまみ部の前記倍角多角形部分は、箸の基端部側の断面多角形状（例えば、断面四角形）と略同形の角型形状の先細り形状に形成した従来の箸の先端部の断面形状（箸基端部側と同様な四角形となる）に比べて、倍の角数及び倍の面部数の断面多角形に形成したものである。したがって、例えば、前記持ち手部が断面四角形であれば前記食べ物つまみ部の前記倍角多角形部分の断面形状は八角形となり、前記持ち手部が断面六角形であれば前記食べ物つまみ部の前記倍角多角形部分の断面形状は１２角形となり、二本の箸で食べ物をつかむ場合、前記した持ち手部の角型形状と略同形の先細り形状に形成した従来の箸の先端部に比べて、面部分（角部切除面部又は残存面部）と面部分（角部切除面部又は残存面部）で食べ物をつかむ（挟む）確率は二倍になり、食べ物を確実につかむ確立も二倍になる。
【００１３】
また、本発明によれば、たとえ二本の箸の面部分（角部切除面部又は残存面部）と角部分（角部切除面部と残存面部が結ばれる角部分）で食べ物をつかむ場合でも、二倍の角部数の多角形に形成された各角部の内角が大きくなる事で、食べ物をつかむ一方の箸の面部分と他方の箸の角部分に隣接した面部分との互いの面隙間が狭くなり、つかみ力を補強でき、また、各角部の内角が大きくなり、且つ各角部の周方向の位置間隔が狭められた事（角部間の幅が狭められた事）で、周方向に互いに隣り合う角部でつかみ力を補強できる。
【００１４】
したがって、本発明によれば、食べ物つまみ部の倍角多角形部分の表面に滑り止めのための梨地などの微細な凹凸加工を施さなくても、微細凹凸による滑り止め加工を施した程度のつかみ力（挟み力）を期待できる。よって、本発明によれば、箸の先端部（食べ物つまみ部）の表面に滑り止めのための梨地などの微細な凹凸加工を施さなくても良い利点がある。したがって、背景技術の欄に記載した、箸の先端部（食べ物つまみ部）の表面に滑り止めのための梨地などの微細な凹凸加工を施したことによる弊害（すなわち、梨地などの微細な凹凸を施して滑り止め防止したプラスチック製の箸は、繰り返しの使用や洗浄による摩擦や熱などで素材が劣化しやすく、白っぽく変色しやすい弊害があった。また、細かい傷が付きやすい弊害もあった。白っぽく変色してしまったり、細かな傷が付いても箸の基本的な機能には影響は無いが、箸は清潔感や見栄えも大事な要素であるため、ある程度色褪せたり傷が付いて見栄えが悪くなると新しい箸に交換することになり、箸の寿命を短くしている。また、箸先端部のつまみ部の表面に梨地などの微細な凹凸を施して滑り止め防止したプラスチック製の箸は、微細な凹凸表面に食べ物滓が付着されやすく、この付着滓を洗い落とすのが難点であった。）をことごとく解消できる。
【００１５】
しかも、本発明（請求項１、２、３の発明）は、前記角部残存多角形部分の各角部を該各角部の頂部が長手方向に隣り合う前記倍角多角形部分の前記角部切除面部の形成位置を基準面として該角部切除面部より半径方向の外方向に突出する突起頂部と成る突起部として形成し、この突起部の突起頂部から長手方向に隣り合う前記倍角多角形部分の前記角部切除面部に至る面を緩やかな傾斜面（この傾斜面には直線状の傾斜面の他、曲線状の傾斜面も含む。）としたものである。この突起部は、前記角部残存多角形部分の各角部の頂部を突起頂部としたものであり、食べ物つまみ部の周方向に均等な間隔をおいて複数形成され、且つ食べ物つまみ部の長手方向にも所定の間隔をおいた複数位置に形成されているため、食べ物つまみ部の周方向及び長手方向にも大きな滑り止め効果を期待できる。したがって、麺類など食べ物自体が滑りやすい食べ物でも確実につかめる効果を期待できる。
【００１６】
また、この突起部は、前記倍角多角形部分の前記角部切除面部の形成位置を基準面として該角部切除面部より半径方向の外方向に突出するもので、基準面となる前記角部切除面部を形成してある前記倍角多角形部分は、前記角部切除面部と該角部切除面部の間の周方向に残存する残存面部によって前記角部残存多角形部分の断面多角形に対して倍の角数及び倍の面部数の断面多角形に形成され、しかも、この突起部の突起頂部から長手方向に隣り合う前記倍角多角形部分の前記角部切除面部に至る面を緩やかな傾斜面に形成してある。したがって、食べ物滓が詰りやすい従来の箸の凹凸溝とは異なり、食べ物つまみ部の前記倍角多角形部分の角部切除面部には食べ物滓が詰ることも無く、箸の洗い作業が容易である。また、前記前記倍角多角形部分は、角部切除面部と残存面部によって断面多角形に形成され、この角部切除面部は箸の全周に亘るものではないため、周方向に延びる凹溝を形成した従来の箸とは異なり、前記倍角多角形部分の角部切除面部から箸が折れる心配も無い。
【００１７】
さらに、本発明（請求項２、３の発明）によれば、前記持ち手部の断面形状を、転がりにくい形状に維持でき、特に、本発明（請求項２の発明）によれば、前記倍角多角形部分の断面形状を、箸の基端部側（前記持ち手部側）では、周方向における前記角部切除面部の各横幅に対して該角部切除面部間の周方向に残存する切除されずに残された前記残存面部の各横幅をそれぞれ長くした多角形とし、箸の基端部側から箸の先端部側に行くに従い前記角部切除面部の各横幅に対する前記残存面部の各横幅の割合を略均等な横幅に近づくようにした先細り形状の多角形に形成したことから、手で握った場合の感触が良い、操作性に優れた箸を提供できる。
【００１８】
また、本発明（請求項４の発明）は、前記食べ物つまみ部の先端側には前記倍角多角形部分を形成したものとし、この食べ物つまみ部の先端側に形成された前記倍角多角形部分の断面形状を、前記角部切除面部と該角部切除面部の間の周方向に残存する前記残存面部がそれぞれ略等辺の関係にあり且つ各角部の大きさが略均等な関係に成る等辺多角形に形成したものである。先細り形状にされた食べ物つまみ部の先端側の前記倍角多角形部分を等辺多角形に形成したことによって、この食べ物つまみ部２の先端部側で小さな食べ物を確実につかむことができる。
【発明の効果】
【００１９】
本発明によれば、箸の先端部側のつまみ部の表面に滑り止めのための梨地などの微細な凹凸加工を施さなくても、食べ物を確実につかめるプラスチック製の箸を提供できる。したがって、本発明によれば、梨地などの微細な凹凸加工を施したことを主な原因として生じる、繰り返しの使用や洗浄による摩擦で箸が摩耗劣化する弊害を防止できる。しかも、本発明によれば、箸のつまみ部に食べ物滓が付着しにくい、箸洗いの容易なプラスチック製の箸を提供できる。さらに、本発明によれば、箸の持ち手部を手で持ちやすく操作性の良いプラスチック製の箸を提供できる。
【図面の簡単な説明】
【００２０】
【図１】本発明の実施形態を示す、イは全体正面図、ロは要部の拡大正面図、ハは他の角度方向から視た要部の拡大正面図である。
【図２】イは図１のＡ-Ａ矢視線、ロは図１のＢ-Ｂ矢視線、ハは図１のＣ-Ｃ矢視線、ニは図１のＤ-Ｄ矢視線の各拡大断面図である。
【図３】本発明の他の実施形態を示す、イは全体正面図、ロは要部の拡大正面図、ハは他の角度方向から視た要部の拡大正面図である。
【図４】イは図３のＡ-Ａ矢視線、ロは図３のＢ-Ｂ矢視線、ハは図３のＣ-Ｃ矢視線の各拡大断面図である。
【発明を実施するための形態】
【００２１】
本発明の実施形態を図面に基づき説明する。なお、図面では一本の箸のみ示したが、使用時には同形の二本の箸を対のものとして用いることは勿論である。
【００２２】
図１、２の実施形態について説明する。この図１、２の実施形態に示したプラスチック製の箸１は、長手方向の先端部側の所定の長さ範囲（好ましくは、箸先端から３乃至４ｃｍの長さ範囲）を食べ物つまみ部２、長手方向の基端部側を持ち手部３とし、前記持ち手部３側から前記食べ物つまみ部２の先端側に行くに従い先細り形状とした断面多角形（図面の実施形態では等辺等角の六角形としてあるため、以下断面六角形と称することがある。なお、断面多角形は六角形に限定するものではなく、等辺等角の四角形や五角形としても良い。）の棒状の箸において、前記食べ物つまみ部２の範囲内に所定の間隔をおいた長手方向の複数位置（図面では五箇所）に前記断面多角形（断面六角形）の各角部４を該各角部の頂部が突起頂部と成る突起部５とするために同一の周方向において切除せずに残存形成した複数の角部残存多角形部分６を形成し、この角部残存多角形部分６の形成位置を除いた箸の長手方向の全範囲における前記断面多角形（断面六角形）の各角部４を長手方向（角部の稜線方向）に延びる略均等な横幅の平面状の角部切除面部７にそれぞれ切除し、この角部切除面部７と該角部切除面部７の間の周方向に残存する残存面部８によって前記角部残存多角形部分６の断面多角形（断面六角形）より倍の角数（１２角）及び倍の面部数（１２面）の断面多角形とした倍角多角形部分９を前記角部残存多角形部分６の形成位置を除いた箸の長手方向の全範囲に形成し、よって前記食べ物つまみ部２の長手方向の範囲にそれぞれ複数の前記角部残存多角形部分６と前記倍角多角形部分９を長手方向に交互に形成し、前記食べ物つまみ部２の先端側には前記倍角多角形部分９を形成し、前記角部残存多角形部分６の各角部４を該各角部４の頂部が長手方向に隣り合う前記食べ物つまみ部２における前記倍角多角形部分９の前記角部切除面部７の形成位置を基準面として該角部切除面部７より半径方向の外方向に突出する突起頂部と成る突起部５として形成し、この突起部５の突起頂部から長手方向に隣り合う前記食べ物つまみ部２における前記倍角多角形部分９の前記角部切除面部７に至る面を緩やかな傾斜面１０としたものである。
【００２３】
図１、２の実施形態では、断面六角形（等辺等角の六角形）の各角部４を切除せずに残存形成した断面六角形の角部残存多角形部分６と、この断面六角形の各角部４を長手方向（角部の稜線方向）に延びる略均等な横幅の平面状の角部切除面部７にそれぞれ切除し、この角部切除面部７と該角部切除面部７間の周方向に残存する残存面部８によって合計１２面の倍角多角形部分９を形成している。前記倍角多角形部分９の前記角部切除面部７は、前提となる断面多角形を六角形（等辺等角の六角形）とした場合は、この六角形の各角部４を各角頂部の最長の対角線（図２に符号Ｌで示した。）と直交するそれぞれ均等な横幅の切断線（図示せず）によって切除した形状である。なお、前記角部切除面部７は、前提となる断面多角形を四角形（等辺等角の四角形）とした場合も、この四角形の対角線と直交するそれぞれ均等な横幅の切断線によって切除した形状である。
【００２４】
図１、２の実施形態の前記倍角多角形部分９の断面形状は、この倍角多角形の各角部の頂点が前記対角線（Ｌ）の交点を中心点（Ｐ）とする円（図示せず）にそれぞれ内接する関係にある多角形であり、この倍角多角形部分９は、箸の基端部側から先端部側に行くに従い、倍角多角形の各角部の頂点が縮径された同心円にそれぞれ内接する関係にある先細り形状になっている。そして、前記角部切除面部７の横幅を箸１の長手方向の全範囲を通して略均等なものとし、この角部切除面部７の横幅は、前記食べ物つまみ部２の先端側において、この角部切除面部７と前記残存面部８の横幅が略均等な関係になるように形成してある。よって、箸の長手方向の大部分の範囲を占める前記倍角多角形部分９は、箸１の基端部側では、図２のイに示したように、周方向における前記角部切除面部７の各横幅に対して該角部切除面部７間の周方向に残存する切除されずに残された前記残存面部８の各横幅をそれぞれ長くした比較的大きな断面積の多角形に形成され、箸の基端部側から先端部側に行くに従い前記角部切除面部７の各横幅に対する前記残存面部８の各横幅の割合を略均等な横幅に近づくようにした先細り形状の多角形に形成され、前記食べ物つまみ部２の先端側では、図２のニに示したように、周方向における前記角部切除面部７の各長さと前記残存面部８の各長さが略均等な関係にあり且つこの角部切除面部７の形成に因り倍の面部数で倍の角部数にされた各角部の大きさが略均等な関係に成る比較的小さな断面積の等辺多角形に形成される。
【００２５】
前記食べ物つまみ部２の長手方向の複数位置（図面では五箇所）に形成してある断面六角形の前記角部残存多角形部分６は、食べ物つまみ部２の基端部側から先端部側に行くに従い段階的に縮小形成され、段階的に縮小された角部残存多角形部分６の各角部の大きさも段階的に縮小される。図１のハから解るように、段階的に縮小された各角部残存多角形部分６の各角部の頂部が長手方向に隣り合う前記倍角多角形部分９の前記角部切除面部７の形成位置より半径方向の外方向に一定の突出状態でそれぞれ突出するように形成してある。
【００２６】
図１、２の実施形態では、箸の先細り形状を、箸１の基端部側から食べ物つまみ部２までの先細り傾斜に対して食べ物つまみ部２の基端部側から先端部までの先細り傾斜を強くした形状にしてある。このような先細り形状にしたことによって、箸の基端部側から先端部側まで略均等な先細り傾斜とした先細り形状にしたものに比べて、角部残存多角形部分６の各角部４（各突起部５）の大きさの段階的な縮小率が大きくなるようにしてある。すなわち、角部残存多角形部分６の各角部４（各突起部５）の大きさは、食べ物つまみ部２の基端部側に比べて先端部側ではより小さくなるようにしてある。しかし、本発明は箸の先細り形状は、箸１の基端部側から食べ物つまみ部２までの先細り傾斜に対して食べ物つまみ部２の基端部側から先端部までの先細り傾斜を強くしたものに限定するものではなく、基端部側から先端部側まで略均等な先細り傾斜とした先細り形状を除外するものではない。
【００２７】
このように、前記角部残存多角形部分６の各角部４（各突起部５）の大きさは食べ物つまみ部２の基端部側から先端部側に行くに従い段階的に縮小され、前記倍角多角形部分９も前記食べ物つまみ部２の先端側では、周方向における前記角部切除面部７の各長さと前記残存面部８の各長さが略均等な関係にあり且つ各角部の大きさが略均等な関係に成る比較的小さな断面積の等辺多角形に形成される。したがって、食べ物つまみ部２の先端部側では、小さな食べ物を確実につかむ機能が優れている。
【００２８】
前記突起部５は、図１のハから良く解るように、前記角部残存多角形部分６の各角部４の頂部（頂点）を突起頂部（突起頂点）とし、この突起部５の突起頂部（突起頂点）から長手方向に隣り合う前記食べ物つまみ部２における前記倍角多角形部分９の前記角部切除面部７に至る面を緩やかな傾斜面１０としたものである。この傾斜面１０には、図示した直線状の傾斜面の他、曲線状の傾斜面も含む。
【００２９】
また、図示の実施形態では、前記角部残存多角形部分６の各角部４の頂部を点状のものとし、この頂点を前記突起部５の突起頂部（突起頂点）としてあるが、前記角部残存多角形部分６の各角部４の頂部を長手方向に少し延ばした稜線状の頂部とし、この稜線状の頂部を突起部の突起頂部として形成しても良い。
【００３０】
図１、２の実施形態では、前提とする断面多角形を六角形（等辺等角の六角形）としたが、等辺等角の四角形や五角形でも良い。前提となる断面多角形を四角形とした場合は、倍角多角形部分９は八面となり、五角形とした場合は、倍角多角形部分９は１０面となる。
【００３１】
次に、図３、４の実施形態について説明する。この図３、４の実施形態に示したプラスチック製の箸１は、長手方向の先端部側の所定の長さ範囲（好ましくは、箸先端から３乃至４ｃｍの長さ範囲）を食べ物つまみ部２、長手方向の基端部側を持ち手部３とし、前記持ち手部３側から前記食べ物つまみ部２の先端側に行くに従い先細り形状とした断面多角形（図面の実施形態では等辺等角の六角形としてあるため、以下断面六角形と称することがある。なお、断面多角形は六角形に限定するものではなく、等辺等角の四角形や五角形としても良い。）の棒状の箸において、前記食べ物つまみ部２の長手方向の範囲に、前記断面多角形（断面六角形）の各角部４を該各角部の頂部が突起頂部と成る突起部５とするために同一の周方向において切除せずに長手方向の複数位置に残存形成した複数（図面では四箇所）の角部残存多角形部分６と、前記断面多角形（断面六角形）の各角部４が長手方向（角部の稜線方向）に延びる略均等な横幅の平面状の角部切除面部７にそれぞれ切除され、この角部切除面部７と該角部切除面部７の間の周方向に残存する残存面部８によって前記角部残存多角形部分６の断面多角形（断面六角形）に対して倍の角数（１２角）及び倍の面部数（１２面）の断面多角形に形成した複数の倍角多角形部分９を長手方向に交互に形成し、前記倍角多角形部分９は前記角部残存多角形部分６を間にして長手方向の両方に隣り合うようにそれぞれ形成してあり、少なくとも前記食べ物つまみ部２の先端側には前記倍角多角形部分９が形成されたものとし、前記角部残存多角形部分６の各角部４を該各角部４の頂部が長手方向に隣り合う前記倍角多角形部分９の前記角部切除面部７の形成位置を基準面として該角部切除面部７より半径方向の外方向に突出する突起頂部と成る突起部５として形成し、この突起部５の突起頂部から長手方向に隣り合う前記倍角多角形部分９の前記角部切除面部７に至る面を緩やかな傾斜面１０としたものである。
【００３２】
図３、４の実施形態では、前記角部切除面部７を食べ物つまみ部２の範囲内に形成してある。この角部切除面部７は、前提となる断面多角形を六角形（等辺等角の六角形）とした場合は、この六角形の各角部４を各角頂部の最長の対角線（図４のロに符号Ｌで示した。）と直交するそれぞれ均等な横幅の切断線（図示せず）によって切除した形状である。なお図１、２の実施形態で述べたように、前記角部切除面部７は、前提となる断面多角形を四角形（等辺等角の四角形）とした場合も、この四角形の対角線と直交するそれぞれ均等な横幅の切断線によって切除した形状である。
【００３３】
図３、４の実施形態の前記倍角多角形部分９の断面形状は、この倍角多角形の各角部の頂点が前記対角線（Ｌ）の交点を中心点（Ｐ）とする円（図示せず）にそれぞれ内接する関係にある多角形であり、この倍角多角形部分９は、食べ物つまみ部２の基端部側から先端部側に行くに従い、倍角多角形の各角部の頂点が縮径された同心円にそれぞれ内接する関係にある先細り形状になっている。そして、前記食べ物つまみ部２の長手方向の複数位置（図面では四箇所）に形成してある断面六角形の前記角部残存多角形部分６は、食べ物つまみ部２の基端部側から先端部側に行くに従い段階的に縮小形成され、段階的に縮小された角部残存多角形部分６の各角部の大きさも段階的に縮小される。図３のハから解るように、段階的に縮小された各角部残存多角形部分６の各角部の頂部が長手方向に隣り合う前記倍角多角形部分９の前記角部切除面部７の形成位置より半径方向の外方向に一定の突出状態でそれぞれ突出するように形成してある。
【００３４】
この食べ物つまみ部２の先端側に形成された前記倍角多角形部分９の断面形状は、前記角部切除面部７と該角部切除面部７の間の周方向に残存する前記残存面部８がそれぞれ略等辺の長さ関係にあり且つ各角部の大きさが略均等な関係に成る１２面の等辺多角形に形成してある。
【００３５】
前記食べ物つまみ部２に形成された前記倍角多角形部分９の断面形状は、図３、４に示したように、長手方向の複数位置に形成した全ての倍角多角形部分９を略等辺多角形（１２角形）に形成しても良いし、また、図１、２の実施形態のように、箸１の基端部側から食べ物つまみ部２までの先細り傾斜に対して食べ物つまみ部２の基端部側から先端部までの先細り傾斜を強くした先細り形状にして、食べ物つまみ部２の基端部側では、周方向における前記角部切除面部７の各長さに対して該角部切除面部７間の周方向に残存する切除されずに残された前記残存面部８の各長さをそれぞれ長くした多角形とし、食べ物つまみ部２の基端部側から先端部側に行くに従い前記角部切除面部７に対する前記残存面部８の各長さ割合を略均等な横幅に近づくように短くした多角形としても良い。両者とも、この食べ物つまみ部２の先端側に形成された前記倍角多角形部分９の断面形状は、角部切除面部７と残存面部８がそれぞれ略等辺の長さ関係にあり且つ倍の角部数にされた各角部の大きさがそれぞれ等しい関係に成る等辺多角形（１２角形）に形成してある。
【００３６】
この実施形態においても、前記突起部５は、図３のハから良く解るように、前記角部残存多角形部分６の各角部４の頂部（頂点）を突起頂部（突起頂点）とし、この突起部５の突起頂部（突起頂点）から長手方向に隣り合う前記食べ物つまみ部２における前記倍角多角形部分９の前記角部切除面部７に至る面を緩やかな傾斜面１０としたものである。そして、この傾斜面１０には、図示した直線状の傾斜面の他、曲線状の傾斜面も含むものである。また、図示の実施形態では、前記角部残存多角形部分６の各角部４の頂部を点状のものとし、この頂点を前記突起部５の突起頂部（突起頂点）としてあるが、前記角部残存多角形部分６の各角部４の頂部を長手方向に少し延ばした稜線状の頂部とし、この稜線状の頂部を突起部の突起頂部として形成しても良い。
【００３７】
図３、４に示した実施形態では、前記持ち手部３側を断面六角形、食べ物つまみ部２の倍角多角形部分９を断面１２角形、食べ物つまみ部２の角部残存多角形部分６を断面六角形としたが、これに限定されず、例えば、前記持ち手部３側を断面四角形、食べ物つまみ部２の倍角多角形部分９を断面八角形、食べ物つまみ部２の角部残存多角形部分６を断面四角形としても良く、例えば、前記持ち手部３側を断面五角形、食べ物つまみ部２の倍角多角形部分９を断面１０角形、食べ物つまみ部２の角部残存多角形部分６を断面五角形としても良いものである。
【００３８】
本発明のプラスチック製の箸の素材としては、ポリプロピレン、アクリル樹脂、ＡＢＳ樹脂、ポリアミド樹脂、ＳＢＳ樹脂（スチレン-ブタジエン-スチレン共重合体）などの合成樹脂を採用でき、樹脂素材は特に限定しない。その他、パルプ材を混合した樹脂を用いても良い。
【００３９】
なお、図示してないが、箸を形成する樹脂素材の節約を目的として、持ち手部３の多角形の各面に複数の凹み部を形成しても良く、また同目的で、持ち手部３の多角形の相対面を貫通する複数の貫通孔を形成しても良い。
【００４０】
樹脂素材の節約を目的とする前記凹み部は、持ち手部３の長手方向に所定の間隔をおいた複数のものとしても良く、持ち手部３の長手方向に延ばした長い形状のものとしても良い。なお、凹み部の凹面形状は湾曲したものが好ましいが、その他の凹面形状を除外するものではない。前記凹み部の形成面は、図３、４の実施形態では、持ち手部３の多角形（断面六角形）の各面のいずれでも良く、例えば持ち手部３を断面四角形や五角形にした場合も、これらの多角形の各面のいずれでも良い。また、前記凹み部の形成面は、持ち手部３を倍角多角形部分９としてある図１、２の実施形態では、持ち手部３の残存面部８とすることが好ましい。
【００４１】
また、樹脂素材の節約を目的とする前記貫通孔は、持ち手部３の長手方向に所定の間隔をおいた複数の位置に形成するのが好ましい。前記貫通孔の貫通面は、図３、４の実施形態では、持ち手部３の多角形（断面六角形）のいずれかの相対面で良く、例えば持ち手部３を断面四角形にした場合もいずれかの相対面で良い。また、前記貫通孔の貫通面は、持ち手部３を倍角多角形部分９としてある図１、２の実施形態では、持ち手部３の相対する残存面部８とすることが好ましい。
【符号の説明】
【００４２】
１  箸
２  食べ物つまみ部
３  持ち手部
４  角部
５  突起部
６  角部残存多角形部分
７  角部切除面部
８  残存面部
９  倍角多角形部分
１０  傾斜面
【図１】
2011245239.tif 000003
【図２】
2011245239.tif 000004
【図３】
2011245239.tif 000005
【図４】
2011245239.tif 000006